(57)【要約】  【課題】  耳孔形状の変化に対して良好な装着状態を維持することのできる耳孔装着用部材（例えば、補聴器用シェルや耳栓など）を製造できるようにする。  【解決手段】  まず、装用者の耳孔に関して３次元形状測定器５を用いて、相異なる状態における耳孔形状１及び耳孔形状２の形状測定を行い、それぞれの耳孔形状に対応する耳孔形状データ６、７を取得する。耳孔形状の相異なる状態は、例えば、外圧によって耳孔形状を変形させた状態でもよく、耳孔装着用部材の装用者が口の開き方を変えた状態でもよい。これらの複数の耳孔形状データをコンピュータ８に取り込み、３次元形状処理ソフトウェア９によって、これらの複数の耳孔形状データに基づく耳孔装着用部材の製造用形状データ１０を生成する。生成された製造用形状データは数値制御造形機１１に送られ、数値制御造形機は、この製造用形状データに基づく運転を行って、耳孔装着用部材２５を製造する。【選択図】  図１
2006197145.tif 000002
【特許請求の範囲】
【請求項１】
装用者の耳孔形状に適した耳孔装着用部材を製造するための耳孔装着用部材の製造方法であって、
前記装用者の耳孔形状に関して、複数の異なる状態における前記耳孔形状を取得するステップと、
前記複数の異なる状態における前記耳孔形状のそれぞれに対応する複数の耳孔形状データを生成するステップと、
複数の前記耳孔形状データに基づいて、前記耳孔装着用部材を製造する数値制御造形機が参照可能な製造用形状データを生成するステップと、
前記製造用形状データを使用して、前記数値制御造形機が前記耳孔装着用部材を製造するステップとを、
有する耳孔装着用部材の製造方法。
【請求項２】
前記複数の異なる状態が、前記耳孔形状を相異なる外的圧力の印加方法によって変形させた複数の状態である請求項１に記載の耳孔装着用部材の製造方法。
【請求項３】
前記複数の異なる状態が、前記装用者が自身の身体部位を変化させた複数の状態である請求項１に記載の耳孔装着用部材の製造方法。
【請求項４】
前記複数の異なる状態が、前記装用者が自身の口の開き方を変えた複数の状態、又は、前記装用者が自身の顔の向きを変えた複数の状態である請求項３に記載の耳孔装着用部材の製造方法。
【請求項５】
前記製造用形状データを生成するステップにおいて、複数の前記耳孔形状データに基づいて前記耳孔形状の変位に関する情報を取得し、前記耳孔形状の変位に関する情報に基づいて前記製造用形状データを生成する請求項１から４のいずれか１つに記載の耳孔装着用部材の製造方法。
【請求項６】
請求項１から５のいずれか１つに記載の耳孔装着用部材の製造方法によって製造された耳孔装着用部材。
【請求項７】
装用者の耳孔形状に適した耳孔装着用部材を製造する製造方法の一部をコンピュータによって実行させるデータ処理プログラムであって、
前記装用者の耳孔形状に関して、複数の異なる状態において計測された前記耳孔形状に対応する複数の耳孔形状データを参照するステップと、
前記複数の耳孔形状データに基づいて、前記耳孔装着用部材を製造する数値制御造形機が参照可能な製造用形状データを生成するステップとを、
コンピュータによって実行させるデータ処理プログラム。
【請求項８】
前記製造用形状データを生成するステップにおいて、複数の前記耳孔形状データに基づいて前記耳孔形状の変位に関する情報を取得し、前記耳孔形状の変位に関する情報に基づいて前記製造用形状データを生成する請求項７に記載のデータ処理プログラム。
【発明の詳細な説明】
【技術分野】
【０００１】
本発明は、装用者の個々の耳孔形状（特に、外耳道及び耳介を含む外耳の形状）に合わせて作製される補聴器用シェルや耳栓などの耳孔装着用部材の製造方法及び耳孔装着用部材並びにデータ処理プログラムに関する。
【背景技術】
【０００２】
図３は、従来の耳孔装着用部材の製造方法の一例を示す工程図である。従来の耳孔装着用部材の製造方法は、図３に示すように、まず、装用者の耳孔形状２０に関して、シリコンなどの印象材を用いて耳孔形状を型取りした耳型２１を得る。次に、この耳型２１を作業者が削り、耳孔装着用部材に必要な形状に整えていく。こうして得られた製品形状耳型２２をシリコンなどで型取りし、逆型２３を得る。次に、この逆型２３に、光照射や硬化剤の混合などによって硬化する液状樹脂２４を流し込み、硬化させる。最後に、硬化した樹脂を逆型２３から取り出し、仕上げ処理を行って、耳孔装着用部材２５を得る。
【０００３】
また、例えば、下記の特許文献１には、上記の逆型２３を使用せずに３次元形状データを利用して、耳孔装着用部材の製造方法の自動化を実現する技術が開示されている。図４は、従来の耳孔装着用部材の製造方法の別の一例を示す工程図である。図４に示す耳孔装着用部材の製造方法では、まず、上述の製造方法と同様に、装用者の耳孔形状２０に関して、シリコンなどの印象材を用いて耳孔形状を型取りした耳型２１を得る。次に、３次元形状測定器５を用いて、この耳型２１に関する形状測定を行い、耳孔形状データ２６を得る。
【０００４】
次に、この耳孔形状データ２６をコンピュータ８に取り込み、３次元形状処理ソフトウェア２７を用いて、耳孔装着用部材の製造用形状データ２８を生成する。なお、この３次元形状処理ソフトウェア２７は、コンピュータ８により実行されるプログラムであって、コンピュータ８が参照可能な所定のプログラム記憶媒体（図示せず）に格納されている。次に、生成された耳孔装着用部材の製造用形状データ２８を、例えば、光造形機などの数値制御造形機１１に送信し、そのデータに基づいて耳孔装着用部材２５を製造する。
【特許文献１】特開平９−１０２５３号公報（図１）
【発明の開示】
【発明が解決しようとする課題】
【０００５】
しかしながら、実際には、個々の装用者においても耳孔形状は常に一定ではなく、装用者の状態（例えば、装用者の口の開閉状態、動き、顔の向きなどの状態）の違いや、また、装着する耳孔装着用部材自体によって耳孔内面が圧力を受け変形するなどの影響によって、装用者の耳孔形状は様々に変化する。
【０００６】
一方、従来の耳孔装着用部材の製造方法においては、ある１つの耳孔形状の耳型や形状情報に基づいて耳孔装着用部材が作製される。したがって、完成した製品を装用者が実際に装着した場合には、上述のような様々な状態の変化に応じて耳孔形状が変化することによって、装着した耳孔装着用部材と耳孔形状との関係が良好ではなくなり、装用者が十分に満足できる装着感を得られない場合があるという問題が生じてしまう。
【０００７】
例えば、口を閉じた状態における耳孔形状に基づいて作製された補聴器を装用者が装着した場合、装用者が食事などで口を動かす動きに応じて、装用者の耳孔形状が変化し、その結果、補聴器シェル外面との間に隙間が生じて音漏れが起き、ハウリングが発生する場合があるという問題が生じる。
【０００８】
従来の耳孔装着用部材の製造方法において、このような食事などによる口の動きに応じた耳孔形状の変化を考慮して、耳孔装着用部材の製造を行う場合もあるが、それは、熟練した製作者の経験に頼った部分的な肉盛りなどであり、結局は完成した製品を装用者に装着してもらい、その結果に応じて修正を繰り返し行うことが必要となる。また、このような熟練した製作者の経験に基づいた製造方法では、装用者が十分に満足できる装用感を得られる確実性は低い。
【０００９】
本発明は、上記問題に鑑み、耳孔形状の変化に対して良好な装着状態を維持することのできる耳孔装着用部材を製造するための耳孔装着用部材の製造方法及び耳孔装着用部材並びにデータ処理プログラムを提供することを目的とする。
【課題を解決するための手段】
【００１０】
上記目的を達成するため、本発明の耳孔装着用部材の製造方法は、装用者の耳孔形状に適した耳孔装着用部材を製造するための耳孔装着用部材の製造方法であって、
装用者の耳孔形状に関して、複数の異なる状態における耳孔形状を取得するステップと、
複数の異なる状態における耳孔形状のそれぞれに対応する複数の耳孔形状データを生成するステップと、
複数の耳孔形状データに基づいて、耳孔装着用部材を製造する数値制御造形機が参照可能な製造用形状データを生成するステップと、
製造用形状データを使用して、数値制御造形機が耳孔装着用部材を製造するステップとを、
有している。
上記の構成により、耳孔形状の変化に対して良好な装着状態を維持することのできる耳孔装着用部材を製造することが可能となる。
【００１１】
さらに、本発明の耳孔装着用部材の製造方法は、上記構成に加えて、複数の異なる状態が、耳孔形状を相異なる外的圧力の印加方法によって変形させた複数の状態である。
上記の構成により、耳孔形状の変化に対して良好な装着状態を維持することのできる耳孔装着用部材を製造することが可能となる。
【００１２】
さらに、本発明の耳孔装着用部材の製造方法は、上記構成に加えて、複数の異なる状態が、装用者が自身の身体部位を変化させた複数の状態である。
上記の構成により、耳孔形状の変化に対して良好な装着状態を維持することのできる耳孔装着用部材を製造することが可能となる。
【００１３】
さらに、本発明の耳孔装着用部材の製造方法は、上記構成に加えて、複数の異なる状態が、装用者が自身の口の開き方を変えた複数の状態、又は、装用者が自身の顔の向きを変えた複数の状態である。
上記の構成により、耳孔形状の変化に対して良好な装着状態を維持することのできる耳孔装着用部材を製造することが可能となる。また、特に、耳孔装着用部材が補聴器シェルの場合には、ハウリングの発生を防ぐことが可能な補聴器を実現することが可能である。
【００１４】
さらに、本発明の耳孔装着用部材の製造方法は、上記構成に加えて、製造用形状データを生成するステップにおいて、複数の耳孔形状データに基づいて耳孔形状の変位に関する情報を取得し、耳孔形状の変位に関する情報に基づいて製造用形状データを生成する。
上記の構成により、耳孔形状の変化に対して良好な装着状態を維持することのできる耳孔装着用部材を製造することが可能となる。
【００１５】
また、本発明によれば、上述した本発明の耳孔装着用部材の製造方法によって製造された耳孔装着用部材が提供される。
【００１６】
また、上記目的を達成するため、本発明のデータ処理プログラムは、装用者の耳孔形状に適した耳孔装着用部材を製造する製造方法の一部をコンピュータによって実行させるデータ処理プログラムであって、
装用者の耳孔形状に関して、複数の異なる状態において計測された耳孔形状に対応する複数の耳孔形状データを参照するステップと、
複数の耳孔形状データに基づいて、耳孔装着用部材を製造する数値制御造形機が参照可能な製造用形状データを生成するステップとを、
コンピュータによって実行させるものである。
上記の構成により、耳孔形状の変化に対して良好な装着状態を維持することのできる耳孔装着用部材を製造することが可能となる。
【００１７】
さらに、本発明のデータ処理プログラムは、上記構成に加えて、製造用形状データを生成するステップにおいて、複数の耳孔形状データに基づいて耳孔形状の変位に関する情報を取得し、耳孔形状の変位に関する情報に基づいて製造用形状データを生成する。
上記の構成により、耳孔形状の変化に対して良好な装着状態を維持することのできる耳孔装着用部材を製造することが可能となる。
【発明の効果】
【００１８】
本発明は、上記構成を有しており、耳孔形状の変化に対して良好な装着状態を維持することのできる耳孔装着用部材を製造できるようにするという効果を有している。
【発明を実施するための最良の形態】
【００１９】
以下、図面を参照しながら、本発明の第１及び第２の実施の形態における耳孔装着用部材の製造方法及び耳孔装着用部材並びにデータ処理プログラムについて説明する。
【００２０】
＜第１の実施の形態＞
まず、本発明の第１の実施の形態について説明する。図１は、本発明の第１の実施の形態における耳孔装着用部材の製造方法の工程図である。図１において、まず、装用者の任意の状態における耳孔形状１と、上記の任意の状態とは異なる別の状態における耳孔形状２とに関して、シリコンなどの印象材を用いてそれぞれの耳孔形状１、２を型取りした耳型３、４を得る。
【００２１】
例えば、印象材を装用者の耳孔に注入する際の注入圧力を変化させるなどの外的圧力を加えることによって、定常状態と、圧力により変形して広がった状態との両方の状態を作り出し、これらの２つの状態のそれぞれにおける耳孔形状の情報を得ることができる。そして、３次元形状測定器５を用いて、この耳型３、４のそれぞれに関する形状測定を行い、耳型３、４のそれぞれの耳孔形状データ６、７を得る。
【００２２】
次に、それぞれの耳孔形状データ６、７をコンピュータ８に取り込み、３次元形状処理ソフトウェア９を用いて、耳孔装着用部材の製造用形状データ１０を生成する。このとき、単独の耳孔形状データだけではなく、それぞれの耳孔形状データ６、７を使用する。例えば、印象材を装用者の耳孔に注入する際の注入圧力を変化させて、定常状態と、圧力により変形して広がった状態との両方の耳孔形状１、２から耳孔形状データ６、７を生成した場合には、耳孔装着用部材の形状変化に係る許容範囲を予測することが可能となる。これは、特に、耳孔装着用部材が若干圧入となるように大きめに作製する際に有用である。
【００２３】
また、例えば、これらの耳孔形状データ６、７を重ね合わせたり合成したりすることによって、耳孔形状１、２の重なり部分の情報や差分情報（すなわち、耳孔の外壁の変位に関する情報）などを得て、こうした情報から、どちらの耳孔形状１、２に対しても好適な耳孔装着用部材の形状を求めることが可能である。これにより、耳孔装着用部材の装着時に、耳孔形状１、２の変化の影響で装用者の装着状態が悪化することを防ぐことが可能となる。
【００２４】
そして、３次元形状処理ソフトウェア９によって生成された耳孔装着用部材の製造用形状データ１０を、例えば、光造形機などの数値制御造形機１１に送信し、そのデータに基づいて耳孔装着用部材２５を製造する。
【００２５】
なお、ここでは、２つの異なる状態における耳孔形状データ６、７を使用して、耳孔装着用部材２５を製造する場合について説明したが、３つ以上の異なる状態における耳孔形状データを使用して、耳孔装着用部材２５を製造してもよい。また、ここでは、印象材を用いてそれぞれの状態の耳孔形状を型取りし、各耳型を形状測定して、それぞれに対応した耳孔形状データを得る場合について説明したが、装用者の耳孔形状を直接、形状測定して、耳孔形状データを得てもよい。
【００２６】
以上、説明したように、本発明の第１の実施の形態における耳孔装着用部材の製造方法によれば、例えば、印象材の注入圧力を変化させるなど、耳孔に外的圧力を加えることによって、耳孔形状に関して、異なる複数の状態を作り出し、これらの複数の異なる状態における耳孔形状データを使用して、耳孔装着用部材の製造用形状データを生成することにより、耳孔形状の変化に対して良好な装着状態を維持することのできる耳孔装着用部材を製造することが可能となる。
【００２７】
＜第２の実施の形態＞
次に、本発明の第２の実施の形態について説明する。図２は、本発明の第２の実施の形態における耳孔装着用部材の製造方法の工程図である。図２において、まず、装用者の任意の状態における耳孔形状１２と、上記の任意の状態とは異なる別の状態における耳孔形状１３とに関して、シリコンなどの印象材を用いてそれぞれの耳孔形状１２、１３を型取りした耳型１４、１５を得る。
【００２８】
上述の本発明の第１の実施の形態では、外的圧力によって、異なる耳孔形状の状態を作り出したが、本発明の第２の実施の形態では、装用者自身が任意の身体部位の状態を変化させることによって、異なる耳孔形状の状態を作り出す。例えば、装用者は、口の開閉状態を変化させて、開口状態における耳孔形状と、閉口状態における耳孔形状とを作り出し、それぞれの状態における耳孔形状１２、１３に基づいた耳型１４、１５を得る。なお、口の開閉状態のほかに、例えば、身体の向きに対して顔の向きを変えた状態における耳孔形状なども有用である。
【００２９】
この後の工程は、上述の第１の実施の形態と同様であり、これらの耳型１４、１５のそれぞれに基づく耳孔形状データ１６、１７を得て、コンピュータ８の３次元形状処理ソフトウェア９で処理を行うことによって、耳孔装着用部材の製造用形状データ１０を生成して、さらに、数値制御造形機１１によって耳孔装着用部材２５の製造を行う。
【００３０】
なお、上述の第１の実施の形態と同様に、３つ以上の異なる状態における耳孔形状データを使用して、耳孔装着用部材２５を製造してもよく、また、装用者の耳孔形状を直接、形状測定して、耳孔形状データを得てもよい。
【００３１】
以上、説明したように、本発明の第２の実施の形態における耳孔装着用部材の製造方法によれば、例えば、口の開閉状態を変化させるなど、装用者自身が耳孔形状の変化をもたらす動作を行うことによって、耳孔形状に関して、異なる複数の状態を作り出し、これらの複数の異なる状態における耳孔形状データを使用して、耳孔装着用部材の製造用形状データを生成することにより、耳孔形状の変化に対して良好な装着状態を維持することのできる耳孔装着用部材を製造することが可能となる。
【００３２】
また、特に、装用者による開口状態及び閉口状態の両方の状態に基づく耳孔形状データを使用することにより、開口状態から閉口状態などへの様々な状態における耳孔形状に対し、補聴器と耳孔内面との間の接触部が形状状態の変化に対応しつつも、耳孔内面に沿って常に少なくとも１つの閉曲線を形成するようにすることで、補聴器と耳孔内面との間に隙間が生じないような補聴器の製造用形状データ１０を生成することが可能となる。この結果、この補聴器を装着する装用者が、口を開閉することによって耳孔形状をさせた場合でも、補聴器と耳孔内面との間に隙間が生じることはなく、ハウリングの発生を防ぐ補聴器が製造可能となる。
【産業上の利用可能性】
【００３３】
本発明に係る耳孔装着用部材の製造方法及び耳孔装着用部材並びにデータ処理プログラムは、耳孔形状の変化に対して良好な装着状態を維持することのできる耳孔装着用部材を製造できるようにするという効果を有し、装用者の個々の耳孔形状に合わせて作製される補聴器用シェルや耳栓などの耳孔装着用部材に係る技術分野に適用可能である。
【図面の簡単な説明】
【００３４】
【図１】本発明の第１の実施の形態における耳孔装着用部材の製造方法の工程図
【図２】本発明の第２の実施の形態における耳孔装着用部材の製造方法の工程図
【図３】従来の耳孔装着用部材の製造方法の工程図
【図４】従来の耳孔装着用部材の製造方法の工程図
【符号の説明】
【００３５】
１、２、１２、１３、２０  耳孔形状
３、４、１４、１５、２１  耳型
５  ３次元形状測定器
６、７、１６、１７、２６  耳孔形状データ
８  コンピュータ
９、２７  ３次元形状処理ソフトウェア
１０、２８  製造用形状データ
１１  数値制御造形機
２２  製品形状耳型
２３  逆型
２４  液状樹脂
２５  耳孔装着用部材
【図１】
2006197145.tif 000003
【図２】
2006197145.tif 000004
【図３】
2006197145.tif 000005
【図４】
2006197145.tif 000006